(57)【要約】   エレベータ装置（２０）用のガイドレール（２４）は、ベース部分（３０）ならびにノーズ部分（３２）を有するアルミニウム製の本体を具備する。一実施例において鋼板から製造されるカバー（４０）は、エレベータかご（２２）の移動を選択的に防止するために従来のブレーキ装置に対してブレーキ面を備えるように、ノーズ部分（３２）の先端部分（３６）を完全に覆う。ある実施例においては、ガイドレールのノーズ部分（３２）にカバー（４０）を耐熱性結合剤（４２）で固定する。ある実施例においては、ガイドレール本体は、アルミニウム押し出し材から製造され、またカバーは、鋼鉄からなる。
2007521212.tif 000002
【特許請求の範囲】
【請求項１】
ノーズ部分（３２）を有する第１の素材の本体と、
上記ノーズ部分の少なくとも一部に固定される第２の素材（４０）と、
を備えるエレベータ装置用のガイドレール（２４）であって、
第１の素材はアルミニウムからなり、第２の素材は鋼鉄からなることを特徴とするエレベータ装置用のガイドレール（２４）。
【請求項２】
第２の素材によって、カバー（４０）が作成され、上記カバーは、上記ガイドレールの長手方向の全長に沿って延びており、上記ノーズ部分（３２）の少なくとも一部を覆うことを特徴とする請求項１に記載のエレベータ装置用のガイドレール（２４）。
【請求項３】
第２の素材は、ノーズ部分（３２）に適合する形状に形成された鋼板（４０）からなり、上記鋼板と上記ノーズ部分との間に結合剤（４２）を含むことを特徴とする請求項１に記載のエレベータ装置用のガイドレール（２４）。
【請求項４】
ノーズ部分（３２）は、少なくとも一つの凹部（５０）を備え、第２の素材は、上記凹部に少なくとも部分的に延びている部分（５２）を有することを特徴とする請求項１に記載のエレベータ装置用のガイドレール（２４）。
【請求項５】
ノーズ部分（３２）と第２の素材との間に絶縁層（６０）を備えることを特徴とする請求項１に記載のエレベータ装置用のガイドレール（２４）。
【請求項６】
絶縁層（６０）は、繊維メッシュからなることを特徴とする請求項５に記載のエレベータ装置用のガイドレール（２４）。
【請求項７】
繊維メッシュ（６０）は、ガラス繊維布からなることを特徴とする請求項６に記載のエレベータ装置用のガイドレール（２４）。
【請求項８】
ノーズ部分（３２）を有する第１の素材の本体と、
上記ノーズ部分の少なくとも一部に固定される第２の素材（４０）と、
上記ノーズ部分に上記第２の素材を固定する結合剤（４２）と、
を備えることを特徴とするエレベータ装置用のガイドレール（２４）。
【請求項９】
結合剤（４２）は、少なくとも１種類の接着剤もしくはコンクリートからなることを特徴とする請求項８に記載のエレベータ装置用のガイドレール（２４）。
【請求項１０】
ノーズ部分（３２）を有する第１の素材の本体と、
上記ノーズ部分の少なくとも一部に固定される第２の素材（４０）と、
を備えるエレベータ装置用のガイドレール（２４）であって、
上記ノーズ部分（３２）は、両側に案内面（３４）を有するとともに端部（３６）の近くにブレーキ領域を含み、上記第２の素材は、上記ノーズ部分（３２）のブレーキ領域のみに設けられることを特徴とするエレベータ装置用のガイドレール（２４）。
【請求項１１】
第２の素材はカバー（４０）であり、上記カバーは、ノーズ部分（３２）の各側面においてブレーキ領域に亘って延びている鋼板からなることを特徴とする請求項１０に記載のエレベータ装置用のガイドレール（２４）。
【請求項１２】
カバー（４０）は、ノーズ部分（３２）の長手方向の全長に沿って延びていることを特徴とする請求項１１に記載のエレベータ装置用のガイドレール（２４）。
【請求項１３】
ノーズ部分（３２）を有する第１の素材の本体と、
上記ノーズ部分の少なくとも一部に固定される第２の素材（４０）と、
を備えるエレベータ装置用のガイドレール（２４）であって、
上記ガイドレール本体は、固定構造体に固定されるベース部分（３０）を備え、上記ノーズ部分（３２）は、上記ベース部分からある傾斜角で離れて延びていることを特徴とするエレベータ装置用のガイドレール（２４）。
【請求項１４】
アルミニウムを含む第１の素材を用いてガイドレール本体を形成し、鋼鉄を含む第２の素材を用いて上記ガイドレールの少なくとも一部を覆うことを特徴とするエレベータ装置用のガイドレール（２４）の製造方法。
【請求項１５】
第２の素材からなる細長クリップ（４０）を形成するステップを含み、上記クリップをガイドレール本体の対応する部分に亘って配置することを特徴とする請求項１４に記載のエレベータ装置用のガイドレール（２４）の製造方法。
【請求項１６】
第２の素材の一部を、ガイドレール本体上の少なくとも一つの凹部（５０）に延ばすことを含むことを特徴とする請求項１４に記載のエレベータ装置用のガイドレール（２４）の製造方法。
【請求項１７】
ガイドレール本体を昇降路に取り付けることを含み、次に、工具（１００）を第２の素材からなるカバー（４０）を所定の位置に固定するために、取り付けた上記ガイドレール本体に沿って移動することを特徴とする請求項１４に記載のエレベータ装置用のガイドレール（２４）の製造方法。
【請求項１８】
ガイドレールを昇降する自動式ロボットを用いることを特徴とする請求項１７に記載のエレベータ装置用のガイドレール（２４）の製造方法。
【請求項１９】
第１の素材を用いてガイドレール本体を形成し、
第２の素材を用いてガイドレール本体の少なくとも一部を覆い、
結合剤（４２）を用いてガイドレール本体に上記第２の素材を固定する、
ことを特徴とするエレベータ装置用のガイドレール（２４）の製造方法。
【請求項２０】
第１の素材を用いてガイドレール本体を形成し、
第２の素材を用いてガイドレール本体の少なくとも一部を覆い、
ベース部分（３０）ならびにノーズ部分（３２）を備えるようにガイドレール本体を形成し、かつ上記ベース部分に対して上記ノーズ部分をある傾斜角に向ける、ことを特徴とするエレベータ装置用のガイドレール（２４）の製造方法。
【発明の詳細な説明】
【技術分野】
【０００１】
本発明は、一般的にエレベータ装置用のガイドレールに関する。さらに具体的には、本発明は、ブレーキ面を備えるように、ガイドレールの少なくとも一部に更にすぐれた耐摩耗性素材を用いるとともに、軽量素材から製造されたエレベータのガイドレールに関する。
【背景技術】
【０００２】
エレベータ装置は通常、昇降路内のエレベータかごの移動を案内するガイドレールを備える。従来のガイドレールは、鋼鉄でできている。鋼製ガイドレールは、安定構造をもたらし、これにより、必要な案内機能を備えることができ、またブレーキが作動している際にブレーキ面を与えることができるが、その一方で欠点もある。鋼製ガイドレールは、重く、また比較的高額である。エレベータ装置の取り付けと関連した時間のほとんどは、ガイドレールの取り付けに充てられる。鋼製ガイドレールが使用される際には、重くてかつ扱いにくい性質により、更なる人件費が嵩む。さらに、エレベータかごの移動の際にガイドローラが移動する鋼製ガイドレールの走行面を、別の機械加工プロセスを用いて加工する必要がある。
【発明の開示】
【発明が解決しようとする課題】
【０００３】
鋼製ガイドレールを使用しない一つの試みは、アルミニウムガイドレールを用いることである。アルミニウムガイドレールと関連した重大な欠点は、アルミニウムの硬さが、エレベータのブレーキ操作と関連した表面力に耐えるのに十分でない点である。この点は、特にエレベータかごが停止する以前に高速で移動する場合の安全ブレーキに当てはまる。ブレーキ操作と関連した熱は、アルミニウムの融点に到達し、これによりガイドレールを著しく劣化させる。加えて、エレベータ装置に使用されている一般的なブレーキ素材は、堅牢でありかつ、アルミニウムガイドレールの表面を傷つける。従って、アルミニウムガイドレールは、素材ならびに取り付けの観点からコストを削減するとともに改良した走行面を提供するが、要求されるエレベータ装置の運転のための適切な特性は、通常、得られない。
【０００４】
本発明は、エレベータ装置におけるブレーキ装置と関連した条件に耐えるように適合したアルミニウムガイドレール構造体を使用できるようにするものである。
【課題を解決するための手段】
【０００５】
広く言えば、本発明は、より経済的でかつ、従来の鋼製ガイドレールに匹敵する耐久性のある、２種類の素材からなるガイドレールである。
【０００６】
本発明に従って設計された一実施例であるガイドレールは、第１の素材でできている本体を備える。ガイドレール本体はノーズ部分を含み、エレベータかごの移動の際にガイドローラが移動する案内面が、このノーズ部分によって提供される。第２の素材からなるカバーは、ノーズ部分の少なくとも一部に亘って延びており、またブレーキ操作の際にエレベータのブレーキ構成要素が作動するブレーキ面が、このカバーによって提供される。
【０００７】
ある実施例においては、ガイドレール本体は、アルミニウムから製造され、またカバーは鋼鉄から製造される。
【０００８】
ある実施例においては、アルミニウム製ガイドレールの適切な部分に鋼製カバーを結合剤で固定する。ある実施例における結合剤は、熱伝導性結合剤であり、ブレーキ操作の際にブレーキ部材に蓄積する傾向がある熱を分散するのに役立つ。
【０００９】
ある実施例においては、カバーは、鋼板から製造された細長い曲げクリップであり、このクリップは、アルミニウムガイドレールのノーズ部分におけるブレーキ領域を密接に囲む。カバーは、ブレーキパッドに直接接触するように丈夫な鋼鉄の面を備える。ある実施例においては、形成された鋼板は、ガイドレールの全長に沿って、連続して延びている。
【００１０】
本発明に従って設計されたガイドレールは、ガイドレール本体を形成するために、アルミニウムのような軽量素材を用いることに関連した全ての利点をもたらしながらも、例えば、ブレーキ装置に対する鋼製ガイドレールと関連した耐久性などの利点をもたらす。
【００１１】
本発明における種々の特徴ならびに長所は、後述する実施例の詳細な説明から当業者に明らかになるであろう。
【発明を実施するための最良の形態】
【００１２】
図１は、エレベータ装置２０を概略的に示しており、エレベータかご２２は、上下に移動するように支持され、かつガイドレール２４によって案内されている。複数の取付ブラケット２６は、既知の方法で昇降路（図示せず）内の望ましい位置に、ガイドレール２４を固定する。
【００１３】
図２〜４から理解できるように、ガイドレール２４は２つの異なる素材でできている。ガイドレール本体は、ベース部分３０を含み、例えば、この部分は、従来の取付ブラケットを用いて昇降路の静止面２８に対して固定される。ノーズ部分３２は、ベース部分３０から離れて延びている。図２の実施例においては、ガイドレール２４は、Ｔ字型断面を有する。
【００１４】
ノーズ部分３２は、両側に案内面３４を備える。案内面は、従来のガイドローラを受けるように形成され、例えば、このガイドローラは、エレベータかご２２の望ましい移動を実現するように、案内面３４に沿って移動する。
【００１５】
ノーズ部分３２の先端部分３６は、ブレーキ面を備え、従来の方法でエレベータかご２２の移動を停止させるように、このブレーキ面に対してブレーキ装置３８が作動することができる。図３から理解できるように、ガイドレール本体と比較して異なる素材から製造されるカバー４０は、少なくともノーズ部分３２の先端部分３６を覆う。この実施例においては、カバー４０は、ノーズ部分３２の先端部分３６に嵌合するクリップとして形成される鋼板からなる。
【００１６】
ある実施例においては、カバー４０は、鋼鉄からなり、さらにガイドレール本体は、アルミニウムからなる。
【００１７】
この実施例における結合剤４２は、カバー４０を所定の位置に固定するために、上記カバー４０とノーズ部分３２との間に配置される。結合剤は、好ましくは、ノーズ部分３２の先端部分３６とカバー４０との間の相対的な長手方向の移動を回避するように、十分な剪断強度を与えるように選択される。ある実施例においては、熱伝導性結合剤が、ブレーキ装置に関連した熱を分散するために用いられる。本発明に従って設計されたガイドレール用の実用的な実施例である結合剤は、ポリマを主原料とする接着剤、コンクリートならびにコンクリートのような接着剤を含む。
【００１８】
ある実施例においては、耐熱性結合剤が、鋼製カバー４０とアルミニウムノーズ部分３２との間の接触面全体に均一に配置される。結合剤は、好ましくは、ガイドレール２４上のカバー４０に対して作用するブレーキと関連した絞り力に応じて発生するあらゆる破損を防止するために、高い圧縮強度を有する。カバー４０は、従来のエレベータ装置のブレーキパッドに直接接触するように丈夫な面を備える。
【００１９】
ある実施例においては、カバー４０は、基本的に連続曲げロール鋼板から形成されたクリップであり、またガイドレール２４の長手方向の全長に沿って連続するブレーキ面を備える。例えば、ある実施例においては、鋼板クリップは、エレベータ装置の取り付け場所において、従来の成形工具を用いてロール鋼板から形成される。
【００２０】
ブレーキ装置３８の作動時には、ブレーキパッド４４が、カバー４０の外側の面に係合する。ブレーキパッド４４とカバー４０との間の接触面で発生した熱が、ブレーキが生じたガイドレールの長さに沿って分散される。しかしながら、エレベータかご２２が停止すると、極めて集中した熱量が、通常、ブレーキパッド４４内に蓄積される。いわゆる“ソークバック”（ｓｏａｋ−ｂａｃｋ）効果により、ブレーキパッド４４が静止している位置のガイドレール２４の一部分に熱が急速に移動する。ある実施例においては、カバー４０ならびに結合剤４２によって、アルミニウムガイドレールのノーズ部分３２とブレーキパッド面との間に熱の抵抗がもたらされる。ガイドレール本体が良好な熱伝導性を有するので、カバー４０ならびに結合剤４２によってもたらされる断熱材厚さは、比較的小さくて良い。既知のとおり、ブレーキが作動する際には、エレベータが高速であるほど、より多くの熱が発生する。従って、カバー４０の厚さは、エレベータ装置の予想される運転パラメータを基準に選択される。本明細書の利点を把握した当業者であれば、アルミニウムの軟化を防止するために、ソークバック効果と関連した最大限の熱移動を十分に抑制するとともに、ガイドレールが、要求された割合で熱エネルギーを分散させることができるように、カバー４０ならびに結合剤４２の厚さを決定することができるであろう。
【００２１】
結合剤４２は、ソークバック効果によって軟化するが、このような熱サイクルの後に再度固まる。この素材は、アルミニウム押し出し材上にクリップ４０が取り付けられたときに、上記鋼製クリップ４０の内側に機械的に取り込まれる。この実施例ならびに概略的に示されている図８においては、全ての構成要素が所定の位置に配置された後で（即ち、ガイドレール本体が昇降路に取り付けられた後。）、ロボット工具１００が、ガイドレールに沿って進行し、鋼鉄とアルミニウムとの間の接触面を加熱し、かつ結合剤を成型すると同時に、正確な寸法公差への加工を行う。
【００２２】
図３に概略的に示されているように、実施例であるガイドレールのノーズ部分３２は、このガイドレールに沿って長手方向に離れて配置された複数の凹部５０を含む。カバー４０は、突起５２を含み、この突起は、ノーズ部分３２の先端部分３６に対してカバー４０を安定させるように、少なくとも凹部に部分的に延びている。突起５２は、望ましい接合を確立するためにカバーの適切な部分をクリンピングし、または変形させることによって形成されてもよい。
【００２３】
図４は、別の実施例を示しており、ノーズ部分３２は、ベース部分３０からある傾斜角で離れて延びている。ガイドレール本体を形成するためにアルミニウムを使用することによって、あらゆる機械加工の必要なしに、ガイドレールの最終形状をカスタマイズすることが可能になる。これにより、設計自由度が増し、かつシステムの経済性を向上させる。可能な構成としては、単一の押し出し材と一体化したエレベータかご案内部分ならびにカウンタウェイト案内部分を有する、単一の押し出し材であるガイドレールを含む。図４の配置は、案内面３４を備え、これに沿ってガイドローラ４６が移動し、かつブレーキ面は、ノーズ部分３２の先端部分３６に亘るカバー４０によってもたらされる。
【００２４】
図５は、別の実施例の配置を示しており、ノーズ部分３２は、図３に示す実施例と同様に、ガイドレールに沿って長手方向に離れて配置された複数の凹部５０を含む。この実施例においては、鋼製カバー４０とノーズ部分３２の先端部分３６との間において、接着剤が使用されない。その代わりに、この実施例では、ガラス繊維でできているメッシュ生地が使用される。生地の層６０は、カバー４０とノーズ部分３２との間の内側の面において高い断熱性をもたらす。断熱生地６０は、実施例であるノーズ部分３２におけるアルミニウム材に移動する過度の温度上昇を防止する。
【００２５】
この実施例においては、鋼製カバー４０は、カバー自体を所定の位置に固定するために少なくとも部分的に凹部５０に入り込むようにスエージ加工或いは変形される。
【００２６】
別の実施例では、ノーズ部分３２にカバー４０を固定するための結合剤として、コンクリートを使用する。図６は、曲げ鋼板でできている一実施例のカバー４０を示している。この実施例においては、複数の開口部６２が、カバー４０に形成されている。図７から理解できるように、結合剤４２が開口部６２に延び、この開口部を効果的に塞ぐ。この実施例においては、結合剤４２は、コンクリートである。コンクリート４２が開口部６２に延びることによって、このコンクリートは、ブレーキ力に耐える安定した結合をもたらすために、荷重に対して圧縮特性を備える。
【００２７】
図６、７の教示に従って設計されたある実施例においては、コンクリート４２が、ノーズ部分３２とカバー４０’の内側との間を塞いだ後に、ガイドレールアセンブリの対応する部分に沿って正しく連続している外側の面を確保するために、穴６２の外側にはみ出ている余剰のコンクリートが拭き取られる。
【００２８】
別の実施例においては、カバー４０の内側の面ならびにノーズ部分３２の外側の面が粗くなるように処理される。このような粗面は、カバーとガイドレールのノーズ部分との間に良好な接着をもたらすために、表面欠陥に対して圧縮荷重を向上させるように、コンクリートのような結合剤の性能を向上させる。
【００２９】
本発明における特筆すべき利点は、ガイドレール本体を形成するためにアルミニウムの使用が可能であり、さらにこのガイドレールは、エレベータ装置における従来のブレーキ装置と関連した力に耐えることができる。例えば、アルミニウム押し出し材は、案内面のためのあらゆる機械加工の必要なしにガイドレールの最終形状を得ることが可能となる。軽量のアルミニウムならびに取り付け作業の更なる軽減によって、エレベータ装置の取り付け作業に対する人件費が削減されることにより、昇降路内におけるガイドレールの取付性が改善される。さらに、軽量のガイドレールによって、例えば、輸送費を増加させることなく、長尺レールを使用することができる。長尺レールによって、ビル内のガイドレールに沿っている継ぎ目の数が削減され、これによりシステムの経済性が向上し、かつエレベータかごの乗り心地が改善される。
【００３０】
上記の説明は、限定的ではなく例示的な性質のものである。当業者には、開示された実施例に対して本発明の趣旨から逸脱することなく加え得る種々の変更及び改良が明らかとなろう。本発明に与えられる法的保護の範囲は、以下の請求範囲を検討することによって定められる。
【図面の簡単な説明】
【００３１】
【図１】本発明の実施例に従って設計されたエレベータ装置の選択した構成要素を示す概略図。
【図２】実施例であるガイドレールの図１における線２−２に沿った断面図。
【図３】図２の実施例における選択した部分を示す図。
【図４】図２の断面図に類似しているが、本発明に従って設計されたガイドレールの別の実施例を示す断面図。
【図５】図２の断面図に類似しているが、別の実施例を示す断面図。
【図６】本発明に従って設計された実施例であるガイドレール用の実用的な別の実施例のカバーを示す斜視概略図。
【図７】図２の断面図に類似しているが、図６に図示されたカバーと組み合わせた実施例を示す断面図。
【図８】実施例におけるガイドレール取り付け過程の一部を示す概略図。
【図１】
2007521212.tif 000003
【図２】
2007521212.tif 000004
【図３】
2007521212.tif 000005
【図４】
2007521212.tif 000006
【図５】
2007521212.tif 000007
【図６】
2007521212.tif 000008
【図７】
2007521212.tif 000009
【図８】
2007521212.tif 000010
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
ノーズ部分（３２）を有する第１の素材の本体と、
上記ノーズ部分の少なくとも一部に固定される第２の素材（４０）と、
を備えるエレベータ装置用のガイドレール（２４）であって、
第２の素材は鋼鉄からなることを特徴とするエレベータ装置用のガイドレール（２４）。
【請求項２】
第２の素材によって、カバー（４０）が作成され、上記カバーは、上記ガイドレールの長手方向の全長に沿って延びており、上記ノーズ部分（３２）の少なくとも一部を覆うことを特徴とする請求項１に記載のエレベータ装置用のガイドレール（２４）。
【請求項３】
第２の素材は、ノーズ部分（３２）に適合する形状に形成された鋼板（４０）からなり、上記鋼板と上記ノーズ部分との間に結合剤（４２）を含むことを特徴とする請求項１に記載のエレベータ装置用のガイドレール（２４）。
【請求項４】
ノーズ部分（３２）は、少なくとも一つの凹部（５０）を備え、第２の素材は、上記凹部に少なくとも部分的に延びている部分（５２）を有することを特徴とする請求項１に記載のエレベータ装置用のガイドレール（２４）。
【請求項５】
ノーズ部分（３２）と第２の素材との間に絶縁層（６０）を備えることを特徴とする請求項１に記載のエレベータ装置用のガイドレール（２４）。
【請求項６】
絶縁層（６０）は、繊維メッシュからなることを特徴とする請求項５に記載のエレベータ装置用のガイドレール（２４）。
【請求項７】
繊維メッシュ（６０）は、ガラス繊維布からなることを特徴とする請求項６に記載のエレベータ装置用のガイドレール（２４）。
【請求項８】
ノーズ部分（３２）を有する第１の素材の本体と、
上記ノーズ部分の少なくとも一部に固定される第２の素材（４０）と、
上記ノーズ部分に上記第２の素材を固定する結合剤（４２）と、
を備えることを特徴とするエレベータ装置用のガイドレール（２４）。
【請求項９】
結合剤（４２）は、少なくとも１種類の接着剤もしくはコンクリートからなることを特徴とする請求項８に記載のエレベータ装置用のガイドレール（２４）。
【請求項１０】
ノーズ部分（３２）を有する第１の素材の本体と、
上記ノーズ部分の少なくとも一部に固定される第２の素材（４０）と、
を備えるエレベータ装置用のガイドレール（２４）であって、
上記ノーズ部分（３２）は、両側に案内面（３４）を有するとともに端部（３６）の近くにブレーキ領域を含み、上記第２の素材は、上記ノーズ部分（３２）のブレーキ領域のみに設けられることを特徴とするエレベータ装置用のガイドレール（２４）。
【請求項１１】
第２の素材はカバー（４０）であり、上記カバーは、ノーズ部分（３２）の各側面においてブレーキ領域に亘って延びている鋼板からなることを特徴とする請求項１０に記載のエレベータ装置用のガイドレール（２４）。
【請求項１２】
カバー（４０）は、ノーズ部分（３２）の長手方向の全長に沿って延びていることを特徴とする請求項１１に記載のエレベータ装置用のガイドレール（２４）。
【請求項１３】
ノーズ部分（３２）を有する第１の素材の本体と、
上記ノーズ部分の少なくとも一部に固定される第２の素材（４０）と、
を備えるエレベータ装置用のガイドレール（２４）であって、
上記ガイドレール本体は、固定構造体に固定されるベース部分（３０）を備え、上記ノーズ部分（３２）は、上記ベース部分からある傾斜角で離れて延びていることを特徴とするエレベータ装置用のガイドレール（２４）。
【請求項１４】
アルミニウムを含む第１の素材を用いてガイドレール本体を形成し、鋼鉄を含む第２の素材を用いて上記ガイドレールの少なくとも一部を覆うことを特徴とするエレベータ装置用のガイドレール（２４）の製造方法。
【請求項１５】
第２の素材からなる細長クリップ（４０）を形成するステップを含み、上記クリップをガイドレール本体の対応する部分に亘って配置することを特徴とする請求項１４に記載のエレベータ装置用のガイドレール（２４）の製造方法。
【請求項１６】
第２の素材の一部を、ガイドレール本体上の少なくとも一つの凹部（５０）に延ばすことを含むことを特徴とする請求項１４に記載のエレベータ装置用のガイドレール（２４）の製造方法。
【請求項１７】
ガイドレール本体を昇降路に取り付けることを含み、次に、工具（１００）を第２の素材からなるカバー（４０）を所定の位置に固定するために、取り付けた上記ガイドレール本体に沿って移動することを特徴とする請求項１４に記載のエレベータ装置用のガイドレール（２４）の製造方法。
【請求項１８】
ガイドレールを昇降する自動式ロボットを用いることを特徴とする請求項１７に記載のエレベータ装置用のガイドレール（２４）の製造方法。
【請求項１９】
第１の素材を用いてガイドレール本体を形成し、
第２の素材を用いてガイドレール本体の少なくとも一部を覆い、
結合剤（４２）を用いてガイドレール本体に上記第２の素材を固定する、
ことを特徴とするエレベータ装置用のガイドレール（２４）の製造方法。
【請求項２０】
第１の素材を用いてガイドレール本体を形成し、
第２の素材を用いてガイドレール本体の少なくとも一部を覆い、
ベース部分（３０）ならびにノーズ部分（３２）を備えるようにガイドレール本体を形成し、かつ上記ベース部分に対して上記ノーズ部分をある傾斜角に向ける、ことを特徴とするエレベータ装置用のガイドレール（２４）の製造方法。
【請求項２１】
第１の素材はアルミニウムからなることを特徴とする請求項１に記載のエレベータ装置用のガイドレール（２４）。
【国際調査報告】
2007521212.tif 000011